(57)【要約】      （修正有）【課題】暗い場所でも化粧をすることができる照明機能付き化粧容器を提供する。【解決手段】本考案は、化粧ケース蓋１０と、化粧ケース蓋部材と、化粧ペンと、を含み、化粧ケース蓋１０は、収容部１１を有し、化粧ケース蓋部材は、本体部２１と、化粧ペン蓋部２２と、鏡を有する化粧ケース蓋部２３と、を含み、化粧ケース蓋１０の収容部１１に収容され、化粧ペン蓋部２２が本体部２１に枢着され、本体部２１は、スイッチ２１１と、照明装置２１２と、電池２１３と、を含み、照明装置２１２が本体部２１の頂面に設けられ、スイッチ２１１は、作動ボタン２１１１と、弾性子２１１２と、を含み、化粧ペンは、化粧ペンベース３１と、伝動部材と、瓶管体３３と、化粧管体３４と、化粧ペン本体３５と、を含み、伝動部材の一端が化粧ペンベース３１に固定され、その他端は、化粧管体３４と連接し、化粧ペンに固定されている。【選択図】図３
0003146219.tif 000002
【実用新案登録請求の範囲】
【請求項１】
化粧ケース蓋と、化粧ケース蓋部材と、化粧ペンと、を含む照明機能付き化粧容器において、
前記化粧ケース蓋は、収容部を有し、
前記化粧ケース蓋部材は、本体部と、化粧ペン蓋部と、鏡を有する化粧ケース蓋部と、を含み、前記化粧ケース蓋の収容部に収容されており、前記化粧ペン蓋部が前記本体部に枢着されており、前記本体部は、スイッチと、照明装置と、電池と、を含み、前記照明装置が前記本体部の頂面に設けられており、前記スイッチは、作動ボタンと、弾性子と、を含み、前記作動ボタンが前記本体部の頂面に設けられており、前記化粧ケース蓋部を閉めると、前記化粧ケース蓋部が前記作動ボタン及び前記弾性子を押付けて、前記電池と前記照明装置の回路が切れられ、なお、前記化粧ケース蓋部を開けると、前記作動ボタンが前記弾性子の弾力によって上に移動して、前記電池と前記照明装置の回路が閉回路の状態になり、前記照明装置が発光するようになり、
前記化粧ペンは、化粧ペンベースと、伝動部材と、瓶管体と、化粧管体と、化粧ペン本体と、を含み、前記化粧ケース蓋に結合されており、前記化粧ペン本体が前記化粧ペン蓋の内部に結合されており、前記伝動部材の一端が前記化粧ペンベースに固定されており、前記伝動部材の他端は、前記化粧管体と連接しており、前記化粧ペンに固定されており、前記瓶管体が前記化粧ペンベースに嵌め設けられており、前記化粧管体は前記伝動部材を介して前記化粧ペンを突出し可能であることを特徴とする、照明機能付き化粧容器。
【請求項２】
前記照明装置はＬＥＤランプであり、前記ＬＥＤランプは、第一端子と、第二端子と、を有し、前記電池は、正極と、負極と、を有し、前記スイッチは、更に、正極片と、負極片と、スイッチ片と、作動ロッドと、を有し、前記正極片が前記電池の正極と連接しており、前記負極片が前記電池の負極と連接しており、前記スイッチ片が前記作動ロッドに固定されており、前記作動ロッドの一端には弾性子が嵌め設けられており、前記作動ロッドの他端には作動ボタンが設けられており、前記弾性子が前記作動ロッドと前記化粧ケース蓋とに押付けており、前記第一端子が前記スイッチ片に固定されており、前記スイッチ片が前記負極片に押付けており、前記第二端子が前記正極片に押付けている場合には、前記ＬＥＤランプが点灯されるようになり、なお、前記化粧ケース蓋が閉めると、前記作動ボタン及び前記弾性子が押圧されて前記スイッチ片と前記負極片が離間され、前記第二端子と前記正極片も離間され、前記照明装置と前記電池の回路が切れられることを特徴とする、請求項１に記載の照明機能付き化粧容器。
【請求項３】
前記伝動部材は、固定台と、伝動部と、を含み、前記固定台の一端が前記化粧ペンベースの内部に固定されており、前記固定台の他端には伝動部が設けられており、前記固定台の内周面には螺旋方向案内レールが環設されており、前記伝動部の一端には規制用突起が設けられており、前記伝動部の他端が前記化粧ペンと連接しており、前記規制用突起が前記螺旋方向案内レールに対応しており、前記化粧ペンは、前記化粧管体を回転することによって前記規制用突起が回転され前記化粧ペン本体が外部へ突出されることを特徴とする、請求項１に記載の照明機能付き化粧容器。
【考案の詳細な説明】
【技術分野】
【０００１】
本考案は、化粧容器に係り、特に、照明機能付き化粧容器に関するものである。
【背景技術】
【０００２】
化粧用品を使用する女性が多く、且つ外出するときには、化粧ケースや化粧ペンなどの化粧用品を携帯することが一般であり、なお、化粧用品によって化粧したい場合には、明るくて人が少なくて鏡を有する場所（例えばトイレなど）でないと、身の回りに携帯する化粧用品によって化粧することができない。だから、市販している化粧ケースは、鏡を有する製品が多く、しかし、明るくて人が少ない場所を捜すことが容易ではない。
【０００３】
だから、発光機能付き化粧ケースが開発され、これは、化粧ケースに鏡及び発光装置が設けられており、発光装置により化粧ケースの周りが明るくなり、そうすると、ユーザは化粧することができ、図７に示すように、この化粧ケースは、蓋４３と、蓋４３に収容されている化粧ペン本体４１と、を含み、蓋４３の一側面には鏡４３１が設けられており、化粧ペン本体４１の側面には二つの貫通孔４２４が開設されており、二つの貫通孔４２４には発光装置４２３の二つの端子４２１がそれぞれ貫入されており、二つの端子４２１は、それぞれ発光装置４２３と電池ユニット４２２とに電気的に連接されており、これにより、ユーザの手が二つの端子４２１を同時に接触すると、回路が閉回路になり、発光装置４２３が発光するようになる。
【０００４】
上記の化粧ケースを使用する場合には、蓋４３と化粧ペン本体４１を分離することができ、一手によって鏡４３１が設けられた蓋４３を握って、二つの端子４２１を同時に接触するように、もう一つの手によって化粧ペン本体４１を握ると、発光装置４２３が発光して回りが明るくなり、このとき、ユーザは化粧することができる。
【０００５】
しかし、二つの端子４２１を同時に接触するために、化粧ペン本体４１を握る手は任意に移動できず、そうしないと、発光装置４２３が発光しなくなり、だが、化粧ペン本体４１を握る時間が長くなると、手が痛くなり、且つ発光装置４２３からの光線は外径が１センチ以上である口紅に遮られ易く、使用は極めて不便である。
【考案の開示】
【考案が解決しようとする課題】
【０００６】
本考案の主な目的は、暗い場所でも化粧をすることができる照明機能付き化粧容器を提供することにある。
【課題を解決するための手段】
【０００７】
本考案の請求項１に記載の照明機能付き化粧容器によると、化粧ケース蓋と、化粧ケース蓋部材と、化粧ペンと、を含む照明機能付き化粧容器において、前記化粧ケース蓋は、収容部を有し、前記化粧ケース蓋部材は、本体部と、化粧ペン蓋部と、鏡を有する化粧ケース蓋部と、を含み、前記化粧ケース蓋の収容部に収容されており、前記化粧ペン蓋部が前記本体部に枢着されており、前記本体部は、スイッチと、照明装置と、電池と、を含み、前記照明装置が前記本体部の頂面に設けられており、前記スイッチは、作動ボタンと、弾性子と、を含み、前記作動ボタンが前記本体部の頂面に設けられており、前記化粧ケース蓋部を閉めると、前記化粧ケース蓋部が前記作動ボタン及び前記弾性子を押付けて、前記電池と前記照明装置の回路が切れられ、なお、前記化粧ケース蓋部を開けると、前記作動ボタンが前記弾性子の弾力によって上に移動して、前記電池と前記照明装置の回路が閉回路の状態になり、前記照明装置が発光するようになり、前記化粧ペンは、化粧ペンベースと、伝動部材と、瓶管体と、化粧管体と、化粧ペン本体と、を含み、前記化粧ケース蓋に結合されており、前記化粧ペン本体が前記化粧ペン蓋の内部に結合されており、前記伝動部材の一端が前記化粧ペンベースに固定されており、前記伝動部材の他端は、前記化粧管体と連接しており、前記化粧ペンに固定されており、前記瓶管体が前記化粧ペンベースに嵌め設けられており、前記化粧管体は前記伝動部材を介して前記化粧ペンを突出し可能であることを特徴とする照明機能付き化粧容器である。
【０００８】
本考案の請求項２に記載の照明機能付き化粧容器によると、前記照明装置はＬＥＤランプであり、前記ＬＥＤランプは、第一端子と、第二端子と、を有し、前記電池は、正極と、負極と、を有し、前記スイッチは、更に、正極片と、負極片と、スイッチ片と、作動ロッドと、を有し、前記正極片が前記電池の正極と連接しており、前記負極片が前記電池の負極と連接しており、前記スイッチ片が前記作動ロッドに固定されており、前記作動ロッドの一端には弾性子が嵌め設けられており、前記作動ロッドの他端には作動ボタンが設けられており、前記弾性子が前記作動ロッドと前記化粧ケース蓋とに押付けており、前記第一端子が前記スイッチ片に固定されており、前記スイッチ片が前記負極片に押付けており、前記第二端子が前記正極片に押付けている場合には、前記ＬＥＤランプが点灯されるようになり、なお、前記化粧ケース蓋が閉めると、前記作動ボタン及び前記弾性子が押圧されて前記スイッチ片と前記負極片が離間され、前記第二端子と前記正極片も離間され、前記照明装置と前記電池の回路が切れられる。
【０００９】
本考案の請求項３に記載の照明機能付き化粧容器によると、前記伝動部材は、固定台と、伝動部と、を含み、前記固定台の一端が前記化粧ペンベースの内部に固定されており、前記固定台の他端には伝動部が設けられており、前記固定台の内周面には螺旋方向案内レールが環設されており、前記伝動部の一端には規制用突起が設けられており、前記伝動部の他端が前記化粧ペンと連接しており、前記規制用突起が前記螺旋方向案内レールに対応しており、前記化粧ペンは、前記化粧管体を回転することによって前記規制用突起が回転され前記化粧ペン本体が外部に突出される。
【考案の効果】
【００１０】
本考案の照明機能付き化粧容器によれば、暗い場所でも化粧をすることができるという効果を奏する。
【考案を実施するための最良の形態】
【００１１】
以下、本考案の実施の形態を図面に基づいて説明する。
まず、図１乃至図６を参照する。本考案に係る化粧機能付き化粧容器は、化粧ケース蓋１０と、化粧ケース蓋部材２０と、化粧ペン３０と、を含む。前記化粧ケース蓋１０は、収容部を有する。前記化粧ケース蓋部材２０は、本体部２１と、化粧ペン蓋部２２と、鏡２３１を有する化粧ケース蓋部２３と、を含み、前記化粧ケース蓋１０の収容部１１に収容されており、前記化粧ペン蓋部２３が前記本体部２１に枢着されており、前記本体部２１は、スイッチ２１１と、照明装置２１２と、電池２１３と、を含み、前記照明装置２１２が前記本体部２１の頂面に設けられており、前記スイッチ２１１は、作動ボタン２１１１と、弾性子２１１２と、を含み、本実施例では、弾性子２１１２がバネであり、前記作動ボタン２１１１が前記本体部２１の頂面に設けられており、前記化粧ケース蓋部２３を閉めると、前記化粧ケース蓋部２３が前記作動ボタン２１１１及び前記弾性子２１１２を押付けて、前記電池２１３と前記照明装置２１２の回路が切れられ、なお、前記化粧ケース蓋部２３を開けると、前記作動ボタン２１１１が前記弾性子２１１２の弾力によって上に移動して、前記電池２１３と前記照明装置２１２の回路が閉回路の状態になり、前記照明装置２１２が発光するようになる。
【００１２】
前記化粧ペン３０は、化粧ペンベース３１と、伝動部材３２と、瓶管体３３と、化粧管体３４と、化粧ペン本体３５と、を含み、なお、化粧ペン本体３５は、口紅ペーストであってもいいし、唇保護用ペーストであってもいいし、それ以外の何れかの化粧用ペーストであってもよく、前記化粧ペン３０は、前記化粧ケース蓋１０に結合されており、前記化粧ペン本体３５が前記化粧ペン蓋２２の内部に結合されており、前記伝動部材３２の一端が前記化粧ペンベース３１に固定されており、前記伝動部材３２の他端は、前記化粧管体３４と連接しており、前記化粧ペン３５に固定されており、前記瓶管体３３が前記化粧ペンベース３１に嵌め設けられており、前記化粧管体３４は前記伝動部材３２を介して前記化粧ペン３５を突出すことができる。
【００１３】
前記照明装置２１２はＬＥＤランプであり、前記ＬＥＤランプは、第一端子２１２１と、第二端子２１２２と、を有する。
前記電池２１３は、正極と、負極と、を有し、前記スイッチ２１１は、更に、正極片２１１３と、負極片２１１４と、スイッチ片２１１５と、作動ロッド２１１６と、を有し、前記正極片２１１３が前記電池２１３の正極と連接しており、前記負極片２１１４が前記電池２１３の負極と連接しており、前記スイッチ片２１１５が前記作動ロッド２１１６に固定されており、前記作動ロッド２１１６の一端には弾性子２１１２が嵌め設けられており、前記作動ロッド２１１６の他端には作動ボタン２１１１が設けられており、前記弾性子２１１２が前記作動ロッド２１１６と前記化粧ケース蓋１０とに押付けており、前記第一端子２１２１が前記スイッチ片２１１５に固定されており、前記スイッチ片２１１５が前記負極片２１１４に押付けており、前記第二端子２１２２が前記正極片２１１３に押付けている場合には、前記ＬＥＤランプが点灯されるようになり、なお、前記化粧ケース蓋２３が閉めると、前記作動ボタン２１１１及び前記弾性子２１１２が押圧されて前記スイッチ片２１１５と前記負極片２１１４が離間され、前記第二端子２１２２と前記正極片２１１３も離間され、そうすると、前記照明装置２１２と前記電池２１３の回路が切れられる。
【００１４】
前記伝動部材３２は、固定台３２１と、伝動部３２２と、を含み、前記固定台３２１の一端が前記化粧ペンベース３１の内部に固定されており、前記固定台３２１の他端には伝動部３２２が設けられており、前記固定台３２１の内周面には螺旋方向案内レール３２１１が環設されており、前記伝動部３２２の一端には規制用突起３２２１が設けられており、前記伝動部３２２の他端が前記化粧ペン３５と連接しており、前記規制用突起３２２１が前記螺旋方向案内レール３２１１に対応しており、前記化粧ペン３０は、前記化粧管体３４を回転することによって前記規制用突起３２２１が回転され前記化粧ペン本体３５が外部に突出される。
【００１５】
また、前記瓶管体３３は外ねじ段３３１を有し、前記化粧ペン蓋部２２の内周面には内ねじ段が設けられており、前記瓶管体３３の外ねじ段３３１が前記化粧ペン蓋部２２の内周面に設けられた内ねじ段に対応している。また、前記化粧ケース蓋部材２０の本体部２１の頂面には円形の貫通孔が開設されており、前記照明装置２１２が前記貫通孔に収容される。
【００１６】
また、前記化粧ケース蓋部材２０の本体部２１の頂面には矩形の貫通孔が開設されており、前記スイッチ２１１の作動ロッド２１１６は、前記矩形の貫通孔に貫入され、弾性子２１１２の弾力に付勢されて前記頂面から突出しており、そうすると、作動ボタン２１１１が形成される。
【図面の簡単な説明】
【００１７】
【図１】本考案に係る照明機能付き化粧容器の組合せ状態の斜視図である。
【図２】本考案に係る照明機能付き化粧容器の使用状態の概略図である。
【図３】本考案に係る照明機能付き化粧容器の分解斜視図である。
【図４】本考案に係る照明機能付き化粧容器の断面図である。
【図５】本考案に係る照明機能付き化粧容器の一部の下面図である。
【図６】本考案に係る照明機能付き化粧容器の一部の分解斜視図である。
【図７】従来の照明機能付き化粧ペンの断面図である。
【符号の説明】
【００１８】
１０      化粧ケース蓋
１１      収容部
２０      化粧ケース蓋部材
２１      本体部
２２      化粧ペン蓋部
２３      蓋部
３０      化粧ペン
３１      化粧ペンベース
３２      伝動部材
３３      瓶管体
３４      化粧管体
３５      化粧ペン本体
４１      化粧ペン本体
４３      蓋
２１１    スイッチ
２１２    照明装置
２１３    電池
２３１    鏡
３２１    固定台
３２２    伝動部
３３１    外ねじ段
２１１１  作動ボタン
２１１２  弾性子
２１１３  正極片
２１１４  負極片
２１１５  スイッチ片
２１１６  作動ロッド
２１２１  第一端子
２１２２  第二端子
３２１１  螺旋方向案内レール
３２２１  規制用突起
【図１】
0003146219.tif 000003
【図２】
0003146219.tif 000004
【図３】
0003146219.tif 000005
【図４】
0003146219.tif 000006
【図５】
0003146219.tif 000007
【図６】
0003146219.tif 000008
【図７】
0003146219.tif 000009